(57)【要約】      （修正有）【課題】自然で正しい着座姿勢にさせる着座姿勢支持具を提供する。【解決手段】着座姿勢支持具は、椅子の座面と臀部との隙間に楔状に敷き込まれる状態における垂直断面が略楔形の縁を有する枕状のクッション１であることを特徴とする。又、クッションは、敷き込まれる状態における垂直断面が、座面に接する面を長辺とする略直角三角形であることを特徴とする。又、クッションは、少なくとも、略直角三角形の外層クッション材１１と外層クッション材１１の形状に相応するように内包された略台形状の内部クッション材１２とで構成されたことを特徴とする。【選択図】図４
0003200114.tif 000002
【実用新案登録請求の範囲】
【請求項１】
椅子の座面と臀部との隙間に楔状に敷き込まれる状態における垂直断面が略楔形の縁を有する枕状のクッションであることを特徴とする着座姿勢支持具。
【請求項２】
クッションは、敷き込まれる状態における垂直断面が、座面に接する面を長辺とする略直角三角形であることを特徴とする請求項１の着座姿勢支持具。
【請求項３】
クッションは、少なくとも、略直角三角形の外層クッション材と当該外層クッション材の形状に相応するように内包された略台形状の内部クッション材とで構成されたことを特徴とする請求項２の着座姿勢支持具。
【請求項４】
外層クッション材は低反発ウレタン素材、内部クッション材は高反発ウレタン素材であることを特徴とする請求項３の着座姿勢支持具。
【請求項５】
クッションの楔先端角度が略３０度であることを特徴とする請求項１乃至請求項４の何れかに記載の着座姿勢支持具。
【請求項６】
内部クッションの楔先端角度が略３０度であることを特徴とする請求項１乃至請求項５の何れかに記載の着座姿勢支持具。
【請求項７】
クッションは当該クッションの変形に応じて伸縮自在なカバーで包まれていることを特徴とする請求項１乃至請求項６の何れかに記載の着座姿勢支持具。
【請求項８】
カバーは、クッションを包む本体部と、当該本体部から延在して、椅子の座面と臀部との隙間にクッションが楔状に敷き込まれた状態において臀部直下に敷かれるように、前記座面に面状に展開される補助部とで構成されることを特徴とする請求項７の着座姿勢支持具。
【請求項９】
本体部はクッションを出し入れ自在に包み込む袋であることを特徴とする請求項８の着座姿勢支持具。
【請求項１０】
請求項２乃至請求項６の何れかに記載の着座姿勢支持具のカバーの本体部が、垂直断面において略直角三角形を成す枕状のクッションに対して、当該三角形の長辺側の面から短辺側の面及び斜辺側の面、並びに枕状の両端面を一体的に包み込むように覆って楔先端側で当該クッションを出し入れ可能に開口させた袋状に構成されたことを特徴とする請求項８又は請求項９の着座姿勢支持具。
【請求項１１】
請求項１０に記載の着座姿勢支持具のカバーの補助部が、本体部の斜面側の面の開口の縁から当該開口を覆うように延在して前記長辺側の面から短辺側の面及び斜面側の面並びに枕状の両端の面を、二重に覆って包み込む袋状に構成されたことを特徴とする請求項８乃至請求項１０の何れかに記載の着座姿勢支持具。
【請求項１２】
縁の形状は、座面に着座した状態における臀部と当該座面との接触面の周縁の曲線の少なくとも一部に相応する湾曲形状であることを特徴とする請求項1乃至請求項１１の何れかに記載の着座姿勢支持具。
【考案の詳細な説明】
【技術分野】
【０００１】
本考案は、主として椅子での着座姿勢を自ずと正しくさせるクッション材を用いた姿勢支持具であって、副次的には腰や首当て用のクッションとしても使用できるものである。
【背景技術】
【０００２】
従来の姿勢支持用のクッションは、使用者の体圧を分散させたり姿勢を補助して身体の負担を軽減するために、その目的に適合する様々な形状やクッション素材で構成されており、それらのクッションは、身体を直接補助させることで物理的に体圧や姿勢に影響を与えさせるという設計思想に基づいたものであった。
【０００３】
このため、目的に適合する様々な形状やクッション素材が使用者の体格に合わない場合には、目的の効果が得られないばかりか、使用者に不快感を与えることもあった。
【考案の概要】
【考案が解決しようとする課題】
【０００４】
本考案は、従来の設計思想とは異なり、使用者が自身の使用感覚（自覚）に基づいて姿勢を正すよう感覚的な刺激を与えるという新規な設計思想に基づいて得られた着座姿勢支持具の提供を目的とするものである。
【課題を解決するための手段】
【０００５】
請求項１の着座姿勢支持具の考案は、椅子の座面と臀部との隙間に楔状に敷き込まれる状態における垂直断面が略楔形の縁を有する枕状のクッションであることを特徴とする。
【０００６】
請求項２の考案は、請求項１の着座姿勢支持具において、クッションは、敷き込まれる状態における垂直断面が、座面に接する面を長辺とする略直角三角形であることを特徴とする。
【０００７】
請求項３の考案は、請求項２の着座姿勢支持具において、クッションは、少なくとも、略直角三角形の外層クッション材と当該外層クッション材の形状に相応するように内包された略台形状の内部クッション材とで構成されたことを特徴とする。
【０００８】
請求項４の考案は、請求項３の着座姿勢支持具において、外層クッション材は低反発ウレタン素材、内部クッション材は高反発ウレタン素材であることを特徴とする。
【０００９】
請求項５の考案は、請求項１乃至請求項４の何れかに記載の着座姿勢支持具において、
クッションの楔先端角度が略３０度であることを特徴とする。
【００１０】
請求項６の考案は、請求項１乃至請求項５の何れかに記載の着座姿勢支持具において、
内部クッションの楔先端角度が略３０度であることを特徴とする。
【００１１】
請求項７の考案は、請求項１乃至請求項６の何れかに記載の着座姿勢支持具において、クッションは当該クッションの変形に応じて伸縮自在なカバーで包まれていることを特徴とする。
【００１２】
請求項８の考案は、請求項７の着座姿勢支持具において、カバーは、クッションを包む本体部と、当該本体部から延在して、椅子の座面と臀部との隙間にクッションが楔状に敷き込まれた状態において臀部直下に敷かれるように、前記座面に面状に展開される補助部とで構成されることを特徴とする。
【００１３】
請求項９の考案は、請求項８の着座姿勢支持具において、本体部はクッションを出し入れ自在に包み込む袋であることを特徴とする。
【００１４】
請求項１０の考案は、請求項８又は請求項９の着座姿勢支持具において、請求項２乃至請求項６の何れかに記載の着座姿勢支持具のカバーの本体部が、垂直断面において略直角三角形を成す枕状のクッションに対して、当該三角形の長辺側の面から短辺側の面及び斜辺側の面、並びに枕状の両端面を一体的に包み込むように覆って楔先端側で当該クッションを出し入れ可能に開口させた袋状に構成されたことを特徴とする。
【００１５】
請求項１１の考案は、請求項８乃至請求項１０の何れかに記載の着座姿勢支持具において、請求項１０に記載の着座姿勢支持具のカバーの補助部が、本体部の斜面側の面の開口の縁から当該開口を覆うように延在して前記長辺側の面から短辺側の面及び斜面側の面並びに枕状の両端の面を、二重に覆って包み込む袋状に構成されたことを特徴とする。
【００１６】
請求項１２の考案は、請求項1乃至請求項１１の何れかに記載の着座姿勢支持具において、縁の形状は、座面に着座した状態における臀部と当該座面との接触面の周縁の曲線の少なくとも一部に相応する湾曲形状であることを特徴とする。
【考案の効果】
【００１７】
請求項1乃至請求項１５の考案によれば、何れも、本考案のクッションを椅子の座面と臀部との隙間に楔状に敷き込ませることで、使用者自身の使用感覚に基づいて姿勢を正すよう感覚的な刺激が与えられて、座った状態での骨盤の後傾を防ぎ、背筋の伸びた自然な着座姿勢を支持し、保持させることができ、身体の負担を自ずと軽減させることができる。
【００１８】
又、本考案は、使用者自身の使用感覚に基づいて着座姿勢を理想的な自然な姿勢に支持し、保持させるものであるから、使用者の体格如何に拘わらず用いることができ、身体の負担を自ずと軽減させることができる。
【００１９】
請求項３又は請求項４の考案によれば、クッションを二層構造としてあるので、比較的硬度及び反発力の高い内部クッション材によって、骨盤の後傾を防止させ耐久性を高めることができると共に、比較的硬度及び反発力の低い外層クッション材によって、硬度及び反発力の高い内部クッション材による身体が受ける抵抗を緩和させて、使用感覚を良好に改善させることができる。
【００２０】
請求項８の考案によれば、座面に面状に展開するクッションの補助部が臀部直下に敷き込まれるので、座面と臀部との隙間に楔状に介在するクッションの本体部が臀部の圧力によって臀部下から逃げて外れたり、位置ずれしたりすることを防ぐことができ、クッションの本体部即ちクッション自体を初期設定した所定位置に保持させることができる。
【００２１】
請求項９乃至請求項１１の考案によれば、何れも、クッション材がカバーに出し入れ自在に収納されるので、クッションの持ち運びの利便性や未使用時の美感が改善させれると共に、クッション材やカバーを個別に洗浄でき、衛生的に使用することができる。
【００２２】
請求項１２の考案によれば、直線的で枕状のクッションに較べ、座面に座った状態の臀部部周りの縁に沿った状態で、湾曲形成された曲線的な枕状のクッションの縁が敷き込まれるので、臀部の座りがより安定化し、座り心地が改善されると共にクッションの位置ずれ防止効果も高められる。
【図面の簡単な説明】
【００２３】
【図１】図１はクッションの斜視図である。
【図２】図２はクッションの断面図である。
【図３】図３はカバーの補助部が展開された状態のクッションの斜視図である。
【図４】図４は図３のカバーの補助部が展開された状態のクッションの縦断面図である。
【図５】図５はカバーの補助部が展開された状態のクッションの底面図である。
【図６】図６はカバーの展開図である。
【図７】図７はカバーに包まれたクッションの斜視図である。
【図８】図８は図７のカバーに包まれたクッションの右側面図である。
【考案を実施するための最良の形態】
【００２４】
本考案を実施するための最良の形態として、クッションを二重に包み込む袋状の補助部を備えたカバーに包まれた、着座姿勢支持具としてのクッションを、実施例に示す図1乃至図８に基づいて説明する。
【実施例１】
【００２５】
本考案の着座姿勢支持具としてのクッションは、椅子の座面と臀部との隙間に楔状に敷き込んで使用される支持具であり、前記間隙に敷き込むことによって、使用者たる着座者の骨盤の後傾（身体の背後方向への傾斜）を防ぎ、理想的には骨盤を着座状態において略水平な座面に対して垂直方向に立たせようとするものであって、物理的に垂直方向に立たせるための形状や構造であることは必ずしも必要では無く、当該支持具の存在を使用者に感得させることによって、使用者が自ずと自然な姿勢、即ち、背骨が側面から観て理想的な着座姿勢である所謂Ｓ字状に伸張するように促すに足る形状或いは構造であればよい。
【００２６】
図1及び図２において、実施例に図示するクッション１は、クッション材を枕状に成形したものであって、椅子の座面と臀部との隙間に楔状に敷き込まれる状態において、枕状クッション１の垂直断面が略楔形の縁を有する形状としてある。
【００２７】
より具体的には、前記状態において、座面に接する面を長辺とする略直角三角形状を成すように構成してある。
このクッション１は、更に、座り心地改善のため、外層には、断面が略直角三角形状の低反発ウレタン素材から成るクッション材を外層クッション材１１とし、内部には、当該外層クッション材１１の形状に相応する略台形状に成形した高反発ウレタン素材から成るクッション材を、主として臀部の圧力を受けるための内部クッション材１２として内包させた構成としてある。
【００２８】
内部クッション材１２を略台形状としてあるのは、臀部の圧力を面的に受けることで、内部クッション材１２引いてはクッション1全体の安定化を図るためである。
この実施例では、外層クッション材１１の断面形状である略直角三角形状に成形した直角三角形の短辺側の先端を水平に切除して略台形状としてあるが、必ずしも、この形状である必要は無い。
【００２９】
この枕状のクッション１の垂直断面における略楔形の縁、即ち、略直角三角形の長辺と斜辺とが成す楔先端の角度は、外層クッション材１１や内部クッション材１２の反発力等の材質如何にもよるが、実験結果によれば、略３０度、即ち３０度を中央値として±５度の範囲が適当であり、３０度付近が最良であった。
【００３０】
図示の例では、クッション１を前記のように略直角三角形としているが、本考案の作用効果は、座面と臀部との間隙に敷き込まれる楔状に形成された縁、即ち、直角三角形の長辺側と斜辺側との形状や構造によって発揮されるものであるから、略直角三角形の短辺側の形状は、本考案の作用効果に悪影響を与えない範囲であれば、如何様な形状或いは構造としても差し支えない。
【００３１】
以上の実施例によれば、クッション１を椅子の座面と臀部との隙間に楔状に敷き込ませることによって、座った状態での骨盤の後傾を物理的に防ぎ、背筋が伸びた自然な着座姿勢を支持し、保持させるだけでなく、使用者自身がその臀部への使用感覚による刺激を受けて、自ずと姿勢を正すよう常に自覚させることになるため、一層、背筋の伸びた自然な着座姿勢を支持し、保持させることができると共に、自然で正しい着座姿勢の保持によって、身体の負担を軽減させることができる。
【００３２】
又、この実施例による着座姿勢支持具としてのクッションは、使用者自身の使用感覚に基づいて着座姿勢を理想的な自然な姿勢に支持し、保持させるものであるから、使用者の体格如何に拘わらず用いることができる。
【００３３】
図１及び図２に示すクッション１はクッション材そのものであるが、適当なカバー、例えば、クッション１の不使用時や着座時の圧力を受けた際（使用時）における変形に応じて伸縮自在の生地で、縫いぐるみのようにクッション１の表面を覆うカバーを用いてもよい。
【００３４】
図３以下に示す実施例では、クッション１が出し入れ自在に包まれるだけでなく、使用時に、座面と臀部の間隙に楔状に挟まれた状態で介在するクッション１が、初期設定即ち敷き込まれた状態のまま、その差し込み位置が長時間保持可能なような工夫が施されている。以下、図３乃至図８に基づいて説明する。
【００３５】
図示のカバー２は、伸縮自在な生地を用いて、クッション１を包む本体部３と、この本体部２の袋口３４を構成する袋口縁の一部から延在して、椅子の座面と臀部との隙間にクッション１が楔状に敷き込まれた状態において臀部直下に敷かれるように、椅子の座面に面状に展開される補助部４とで、一体的に構成されている。
【００３６】
本体部３は、クッション１を出し入れ自在に包み込む袋となるよう文字通り袋状に形成さてれていると共に、補助部４もまた、本体部３に包まれた状態のクッション１を当該本体部３の上から更に二重に包み込むように袋状に形成されている。
【００３７】
即ち、カバー２の本体部３は、垂直断面において略直角三角形を成す枕状のクッション１に対して、当該三角形の長辺側の面（３１）から短辺側の面（３２）及び斜辺側の面（３３）並び枕状クッション１の両端側の面（３５，３５）を一体的に包み込むように覆って楔先端側でクッション１を出し入れ可能に開口させた袋状に形成されている。
【００３８】
以下、カバー２の本体部３の前記三角形の長辺側の面（３１）を覆う面を長辺側面３１、短辺側の面（３２）を覆う面を短辺側面（３２）及び斜辺側の面（３３）を覆う面を斜辺側面３３、並びに、枕状クッション１の両端側の面（３５，３５）を両端面３５、３５ともいう。
【００３９】
カバー２の補助部４は、本体部３の斜面側面３３の、本来なら袋口として開口される袋口の縁に相当する部位から当該開口即ち袋口３４を覆うように延在して、前記長辺側の面（３１）から短辺側の面（３２）及び斜面側の面（３３）並びに枕状のクッション１の両端側の面（３５，３５）を、前記本体部３の袋の上（図示の符号３１，３２，３１，３５）から、二重に重ね覆って包み込む袋状に構成されている。
【００４０】
即ち、補助部４は、袋口３４を覆うように延在して前記長辺側面３１即ちクッション１の長辺側の面（３１）を二重に覆う長辺側面４１、前記短辺側面３２即ちクッション１の短辺側の面（３２）を二重に覆う短辺側面４２、及び前記斜面側面３３即ちクッション１の斜面側の面（３３）を二重に覆う斜面側面４３、並びに両端側面３５，３５即ち枕状のクッション１の両端側の面（３５，３５）を二重に覆う両端側面４５，４５を備えた袋に形成されている。
【００４１】
上記実施例では、クッション１が直線的に延在する枕状に形成されているが、少なくとも、座面と臀部との間隙に楔状に差し込まれる側の枕の縁は、座面に着座した状態における臀部と当該座面との接触面の周縁に沿うように、或いは、その周縁の少なくとも一部の曲線に相応するように湾曲させた形状即ち湾曲形状としてもよい。
【００４２】
このような湾曲形状とすることにより、上記のような直線的な枕状クッションに較べると、臀部が座面に座った状態での臀部部周りの縁に沿った状態に、湾曲形成された曲線的な枕状クッションの縁が敷き込まれることになるので、臀部の座りをより安定化させることができ、従って、座り心地が良好に改善されるだけでなく、
前後方向だけではなく湾曲形状の縁が延在する方向即ち臀部の左右方向への位置ずれを防止する効果を著しく高めることもできる。
【産業上の利用可能性】
【００４３】
本考案は、着座姿勢支持具としてのみでなく、クッション自体或いはカバーで覆われたクッションを着座時における腰当て或いは首当てとしても広く用いることができる。
【符号の説明】
【００４４】
１    クッション
１１  外層クッション材
１２  内部クッション材
２    カバー
３    本体部（カバー）
４    補助部（カバー）
３１  長辺側面（本体部）
３２  短辺側面（本体部）
３３  斜面側面（本体部）
３４  袋口
３５  両端側面（本体部）
４１  長辺側面（補助部）
４２  短辺側面（補助部）
４３  斜面側面（補助部）
４５  両端側面（補助部）
【図１】
0003200114.tif 000003
【図２】
0003200114.tif 000004
【図３】
0003200114.tif 000005
【図４】
0003200114.tif 000006
【図５】
0003200114.tif 000007
【図６】
0003200114.tif 000008
【図７】
0003200114.tif 000009
【図８】
0003200114.tif 000010